(57)【特許請求の範囲】
【請求項１】
ドアに回動可能に取り付けられるノブ（１０）と、係止爪（１７ａ，１８ａ）をそれぞれ備えた第１摺動部材（１２）及び第２摺動部材（１３）とを具備する開閉ロック装置において、前記ノブ（１０）が突起（１６ａ；２４）を有し、前記第１摺動部材（１２）及び第２摺動部材（１３）がそれぞれラック（１２ａ，１３ａ）を有し、これらラック（１２ａ，１３ａ）がピニオンギア（１４）に互いに径方向の反対側の位置で噛合し、前記第２摺動部材（１３）がカム部（１３ｃ）を有し、前記ノブ（１０）を回動させると、前記ノブ（１０）の突起（１６ａ；２４）がカム部（１３ｃ）と係合して前記第２摺動部材（１３）を移動せしめると同時に前記ピニオンギア（１４）を介して前記第１摺動部材（１２）を反対方向に移動させ、それによって開扉可能状態になるようにしたことを特徴とする開閉ロック装置。
【請求項２】
前記ノブ（１０）にキーシリンダー（１６）が回転可能に取り付けられ、該キーシリンダー（１６）が前記突起（１６ａ）を有することを特徴とする請求項１に記載の開閉ロック装置。
【請求項３】
前記第２摺動部材（１３）又は第１摺動部材（１２）がカム溝（１３ｅ）を有し、前記キーシリンダー（１６）をロックする方向に回転させたときに、前記突起（１６ａ）が前記カム溝（１３ｅ）と係合して前記第２摺動部材（１３）を係止するようにしたことを特徴とする請求項２に記載の開閉ロック装置。
【発明の詳細な説明】
【０００１】
【発明の属する技術分野】
本発明は開閉ロック装置に関する。詳しくは、車両に設けられている小物収納用のドアグラブにおいて、その開閉ロックを行なう開閉ロック装置に関する。
【０００２】
【従来の技術】
従来、自動車の助手席側のインストルメントパネルに小物を収容するドアグラブが設けられている。このドアグラブには、ドアを開閉するための開閉機構が必要であり、またそれに加えてロック機構も必要である。図６（ａ）はロック機構を持たないタイプのドアを示し、図６（ｂ）はロック機構を持つタイプのドアを示している。同図において、１はドア、２はドア開閉用のノブ、３はロック用のキーシリンダーである。なお、ノブ２の背後にはドアグラブを閉状態に保持するため、図７（ａ）に示すように、ダッシュボード５に固定されたストライカ６（図７（ｂ）に斜視図を示す）に係脱可能な係止爪４を有し、該係止爪４はノブ２により操作されるようになっている。
【０００３】
また、ノブがドアの端部にあるタイプを図８に示す。これはドア１の右端にノブ２が設けられ、ドアの中央部に図示なき係止用のラチェットが設けられている。
【０００４】
【発明が解決しようとする課題】
上記のような従来のドアグラブにおいて、図６で説明したものは、ノブ２がドアグラブ１に対して中心に配置されているため、運転者側から遠くなり、運転者側からの操作性が良くないという問題がある。このため図８に示すように、ノブ２を運転者側にオフセットしたものもあるが、係止爪が中心にあるため、ノブ２からの伝導のため部品点数の増加でコストアップになるという問題がある。
【０００５】
また図６及び図８で説明したものは、係止爪２がドアグラブ１の中心にあるため、ドアグラブ１の左右が固定されず、図８（ｂ）の如く経時変化でドアグラブ１が破線で示すように変形した時、インストルメントパネルとの間に段差が生じ、建て付け品質が低下するという問題がある。
【０００６】
本発明は、上記従来の問題点に鑑み、操作性の向上、建て付け品質の向上、組み付け性の向上を可能とした開閉ロック装置を実現することを目的とする。
【０００７】
【課題を解決するための手段】
上記目的を達成するため、請求項１に記載の発明によれば、ドアに回動可能に取り付けられるノブ１０と、係止爪１７ａ，１８ａをそれぞれ備えた第１摺動部材１２及び第２摺動部材１３とを具備する開閉ロック装置において、前記ノブ１０が突起１６ａ；２４を有し、前記第１摺動部材１２及び第２摺動部材１３がそれぞれラック１２ａ，１３ａを有し、これらラック１２ａ，１３ａがピニオンギア１４に互いに径方向の反対側の位置で噛合し、前記第２摺動部材１３がカム部１３ｃを有し、前記ノブ１０を回動させると、前記ノブ１０の突起１６ａ；２４がカム部１３ｃと係合して前記第２摺動部材１３を移動せしめると同時に前記ピニオンギア１４を介して前記第１摺動部材１２を反対方向に移動させ、それによって開扉可能状態になるようにしたことを特徴とする開閉ロック装置が提供される。また、請求項２に記載の発明によれば請求項１に記載の発明において、前記ノブ１０にキーシリンダー１６が回転可能に取り付けられ、該キーシリンダー１６が前記突起１６ａを有することを特徴とする開閉ロック装置が提供される。また、請求項３に記載の発明によれば請求項２に記載の発明において、前記第２摺動部材１３又は第１摺動部材１２がカム溝１３ｅを有し、前記キーシリンダー１６をロックする方向に回転させたときに、前記突起１６ａが前記カム溝１３ｅと係合して前記第２摺動部材１３を係止するようにしたことを特徴とする開閉ロック装置が提供される。
【０００８】
この構成を採ることにより、ノブをドアの左右何れの端部にも設けることができるため操作性の向上が可能となる。また、係止爪をドアの左右に設けたためドアの変形が少なくなり、インストルメントパネルとの建て付け品質が向上する。さらに構造が簡単であるため組立て性も良好となる。
【０００９】
【発明の実施の形態】
図１は本発明の開閉ロック装置の実施の形態を示す分解斜視図である。本実施の形態は、ノブ１０と、ケース１１と、第１，第２摺動部材１２，１３と、ピニオンギア１４と、復帰ばね１５と、キーシリンダー１６と、第１，第２ロッド１７，１８とを具備している。そしてノブ１０は、略直方体状で、その一方の端部近傍にキーシリンダー１６を装着する孔１０ａが形成され、両側部には軸孔１０ｂが形成されている。また、ケース１１はノブ１０と同様に略直方体状をなし、その両側部にはノブ１０を回動可能に支持する軸１１ａが設けられている。また該ケース１１には第１、第２摺動部材１２，１３を摺動可能に案内する溝と、ピニオンギア１４を支持する軸孔１１ｂが形成されている。
【００１０】
また、第１、第２摺動部材１２，１３はピニオンギア１４に噛み合い、且つ、互いに反対方向に移動できるようにラック１２ａ，１３ａが形成され、且つ第１摺動部材１２には第１ロッド１７と嵌合する嵌合部１２ｂが形成され、第２摺動部材１３には第２ロッド１８と嵌合する嵌合部１３ｂが形成されている。さらに該第２摺動部材１３には左右への移動及びロックのためのカム１３ｃが形成されている。また、前記第１、第２ロッド１７，１８の先端には係止爪１７ａ，１８ａがそれぞれ形成されている。
【００１１】
また、キーシリンダー１６には、前記第２摺動部材１３のカム１３ｃに係合して該第２摺動部材１３を移動及びロックするための突起１６ａが形成されている。そして該キーシリンダー１６はノブ１０に設けられた孔１０ａに回転可能で且つ抜け出し不可となるように収容されるようになっている。
なお、符号１９は第２ロッド１８を引張る引張りばね、２０，２１は第１、第２ロッド１７，１８の先端部をそれぞれ嵌合支持して振動を防止するクッションである。
【００１２】
このように形成された各部材は図２及び図３に示すように組立てられる。即ち、ケース１１はノブ１０を揺動自在に組付けると共に、ピニオンギア１４を軸孔１１ｂにより回動自在に支持し、さらに第１、第２摺動部材１２，１３を、そのラック１２ａ，１３ａがピニオンギア１４に噛み合うようにして組付けられる。そして、このケース１１はドア２２に固定される。
【００１３】
なお、第１、第２摺動部材１２，１３には第１、第２ロッド１７，１８がそれぞれ連結され、ノブ１０とケース１１との間には復帰ばね１５が挿入されノブ１０を復帰する方向に付勢しており、第２ロッド１８には引張りばね１９の一端が係合されて、該第２ロッド１８を押し出す方向に付勢している。
また、キーシリンダー１６は図３に示すように、ノブ１０に設けられた孔１０ａに回動可能で且つ抜け出し不可に装着される。
【００１４】
このように構成された本実施の形態の作用を次に説明する。図２（ａ）はドア２２が閉じられた状態を示している。即ち、第１ロッド１７が右方に、第２ロッド１８が左方に移動して係止爪１７ａ，１８ａがドアグラブ本体２３の係止孔２３ａに係合している。この状態からドア２２を開放するには、図３の如く、ノブ１０を図において時計方向に回動する。ノブ１０が回動すると、ノブ１０に設けられたキーシリンダー１６の先端の突起１６ａが下方に移動する。
【００１５】
突起１６ａが下方に移動すると該突起１６ａは図４（同図は図２ａの矢印Ｚ方向からケース及び第２摺動部材を見た図である。）の（ａ）図の状態から（ｂ）図の状態となる途中で第２摺動部材１３に形成されたカム部１３ｃの斜面１３ｄを押圧し、該第２摺動部材１３を右方に移動させる。同時に、該第２摺動部材１３はピニオンギア１４を介して、第１摺動部材１２を左方に移動させる。これにより、図２(ｂ)の如く、第１、第２摺動部材１２，１３にそれぞれ連結された、第１、第２ロッド１７，１８も内側に引き込まれ、係止爪１７ａ、１８ａは係止孔２３ａから離脱する。これによりドア２２は開放される。
【００１６】
また、開放されたドア２２を閉じるには、ノブ１０をもとに戻し、第１、第２ロッド１７，１８が引っ張りばね１９の付勢力により左右に張り出した状態とし、その状態でドア２２を押し込めば、係止爪１７ａ，１８ａの斜面が係止孔２３ａに当接して押し戻され係止孔２３ａに係合し、図２（ａ）の状態となる。
【００１７】
次に、ドア２２をロックするには、ノブ１０を動かさず、キーシリンダー１６にキーを挿入して、時計方向に９０°回転させる。これによりキーシリンダー１６の先端の突起１６ａが図４（ａ）の状態から図４（ｃ）の状態に移動し、第２摺動部材１３に形成されたカム溝１３ｅに落ち込み、該第２摺動部材１３を固定する。同時にピニオンギア１４を介して第１摺動部材１２も固定するため。第１、第２ロッド１７，１８はロックされる。
【００１８】
また、ロックを解除するにはキーシリンダー１６を反時計方向に９０°回転させることにより突起１６ａがカム溝１３ｅより抜け出て図４（ａ）状態となり、ロックは解除される。
【００１９】
図５は本発明の他の実施の形態を示す図である。本実施の形態はノブにキーシリンダーを有しない場合であり、ノブ１０にはキーシリンダーを有せず、その代わりに突起２４を設けたものである。このように構成された本実施の形態はキーシリンダーを有しないためロックすることはできないが、突起２４が前実施の形態のキーシリンダーの突起１６ａと同様な作用をなしてドアの開閉操作をすることができる。
【００２０】
【発明の効果】
本発明の開閉ロック装置に依れば、ノブをドアの左右何れの端部にも設けることができるため操作性の向上が可能となる。また、係止爪をドアの左右に設けたためドアの変形が少なくなり、インストルメントパネルとの建て付け品質が向上する。また構造が簡単であるため組立て性も良好となる。
【図面の簡単な説明】
【図１】本発明の開閉ロック装置の実施の形態を示す分解斜視図である。
【図２】本発明の開閉ロック装置の実施の形態を示す組立て断面図である。
【図３】本発明の開閉ロック装置の実施の形態を示す組立て断面図である。
【図４】本発明の開閉ロック装置の実施の形態の作用を説明するための図である。
【図５】本発明の開閉ロック装置の他の実施の形態を示す図である。
【図６】従来の開閉機構持つドアグラブのドアを示す斜視図である。
【図７】従来の開閉機構持つドアグラブのドアを示す断面図である。
【図８】従来の開閉機構持つドアグラブのドアの他の例を示す図である。
【符号の説明】
１０…ノブ
１０ａ…孔
１０ｂ，１１ｂ…軸孔
１１…ケース
１１ａ…軸
１２…第１摺動部材
１３…第２摺動部材
１２ａ，１３ａ…ラック
１２ｂ，１３ｂ…嵌合部
１３ｃ…カム部
１３ｄ…斜面
１３ｅ…溝部
１４…ピニオン
１５…復帰ばね
１６…キーシリンダー
１６ａ，２４…突起
１７…第１ロッド
１８…第２ロッド
１７ａ，１８ａ…係止爪
１９…引っ張りばね
２０，２１…クッション部材
２２…ドア
２３…ドアグラブ本体
２３ａ…係止孔
【図１】
0003896028.tif 000002
【図２】
0003896028.tif 000003
【図３】
0003896028.tif 000004
【図４】
0003896028.tif 000005
【図５】
0003896028.tif 000006
【図６】
0003896028.tif 000007
【図７】
0003896028.tif 000008
【図８】
0003896028.tif 000009